(57)【要約】【課題】コンパクトで意匠性の高い装置外観を有し、且つ視認しやすい表示部を有するコストに優れた吐出装置を提供すること。【解決手段】水平方向に延びる本体部２１と、本体部２１の先端面における上部に手前側に面して形成され、所定の表示がなされた表示部２２１を有する正面部２２と、前記先端面における前記正面部の下部から基端側に傾斜して形成され、液体を吐出する吐出口部２３１を有する傾斜面部２３と、を備える洗浄液吐出装置２０。【選択図】図３
2017131421.tif 000002
【特許請求の範囲】
【請求項１】
液体を吐出する吐出装置であって、
水平方向に延びる本体部と、
該本体部の先端面における上部に手前側に面して形成され、所定の表示がなされた表示部を有する正面部と、
前記先端面における前記正面部の下部から基端側に傾斜して形成され、液体を吐出する吐出口部を有する傾斜面部と、を備える吐出装置。
【請求項２】
前記本体部は、円筒状である請求項１に記載の吐出装置。
【請求項３】
前記正面部は、半円以上の円弧形状である請求項２に記載の吐出装置。
【請求項４】
鉛直方向に対する前記傾斜面部の傾斜角度は、３０°〜５０°である請求項１から３いずれかに記載の吐出装置。
【発明の詳細な説明】
【技術分野】
【０００１】
本発明は、吐出装置に関する。
【背景技術】
【０００２】
従来、公共施設のトイレや洗面所に設置される手洗装置では、手動又は自動で水石けん等の洗浄液や水を手洗装置のボウル部に向けて吐出する吐水装置や洗浄液吐出装置等の吐出装置が知られている。このような吐出装置は、手動で各種動作を行うものであるか、あるいはセンサで物体を検知し、その検出信号に応じてポンプや弁の開閉等を制御することで各種動作を行うものである。
【０００３】
このような吐出装置は、洗浄液や水をボウル部に向けて吐出するため、吐出方向を水平方向よりも下方に傾斜させることを要する。従って、壁等の鉛直面に吐出装置を設置する場合、液体を吐出する吐出部を下方に傾斜させるか、吐出部を含む装置本体を下方に傾斜させるか、何れかの方法が取られる（例えば、後述の特許文献１及び２参照）。
【先行技術文献】
【特許文献】
【０００４】
【特許文献１】特許第４９５８０５７号公報
【特許文献２】特許第４６５１４２６号公報
【発明の概要】
【発明が解決しようとする課題】
【０００５】
特許文献１及び２に記載された吐出装置は、装置本体と吐出部のうち何れかにおいて曲部を有するものであるため、部材の加工に要するコストが増大するばかりでなく、装置外観の意匠性が制限される問題がある。そこで、装置本体を水平方向に延出させ、その端部に下向きの傾斜面を形成し、該傾斜面に吐出口を設けることで、吐出装置を直線的な構成としながらも吐出方向を水平方向よりも下方に向けることができる。しかし、このような構成では傾斜面をより下向きに傾斜させようとすると本体端部が手前側に延出してしまうため、装置のコンパクト化が図れない。また、機能表示を付すに適した、視認しやすい箇所が無い問題もある。
【０００６】
本発明は、上記に鑑みてなされたものであり、コンパクトで意匠性の高い装置外観を有し、且つ視認しやすい表示部を有するコストに優れた吐出装置を提供することを目的とする。
【課題を解決するための手段】
【０００７】
本発明は、水平方向に延びる本体部（例えば、後述の本体部２１）と、該本体部の先端面における上部に手前側に面して形成され、所定の表示がなされた表示部（例えば、後述の表示部２２１）を有する正面部（例えば、後述の正面部２２）と、前記先端面における前記正面部の下部から基端側に傾斜して形成され、液体を吐出する吐出口部（例えば、後述の吐出口部２３１）を有する傾斜面部（例えば、後述の傾斜面部２３）と、を備える吐出装置（例えば、後述の洗浄液吐出装置２０）に関する。
【０００８】
前記本体部は、円筒状であることが好ましい。
【０００９】
前記正面部は、半円以上の円弧形状であることが好ましい。
【００１０】
鉛直方向に対する前記傾斜面部の傾斜角度は、３０°〜５０°であることが好ましい。
【発明の効果】
【００１１】
本発明によれば、コンパクトで意匠性の高い装置外観を有し、且つ視認しやすい表示部を有するコストに優れた吐出装置を提供できる。
【図面の簡単な説明】
【００１２】
【図１】本発明の一実施形態に係る手洗装置の全体斜視図である。
【図２】上記実施形態に係る洗浄液吐出装置の機能を示すブロック図である。
【図３】上記実施形態に係る洗浄液吐出装置の外観を示す斜視図である。
【図４】上記実施形態に係る洗浄液吐出装置の正面図である。
【図５】上記実施形態に係る洗浄液吐出装置の右側面図である。
【発明を実施するための形態】
【００１３】
以下、本発明の実施形態について図面を参照しながら説明する。なお、本発明は以下の実施形態に限定されるものではない。
本実施形態に係る吐出装置は、例えば鉄道の駅等の公共施設のトイレや洗面所に設置される手洗装置に設置され、人の手等の物体をセンサで検知し、その検知信号に基づいて自動的に水や水石けん等の洗浄液の吐出を行う自動水栓や洗浄液吐出装置等の吐出装置である。
【００１４】
図１は、本発明の一実施形態に係る吐出装置が設けられた手洗装置１の全体斜視図である。
図１に示すように、本実施形態に係る手洗装置１は、吐水装置１０と、洗浄液吐出装置２０と、ボウル３０と、台４０と、を備える。
また、本実施形態に係る手洗装置１は、複数の併設された同一種類の手洗装置のうちの一つである。
【００１５】
吐水装置１０は、吐水装置本体１０ａの先端側に、物体を検知するセンサ１１と、吐水口１２と、を有する。吐水装置１０は、人の手等の物体がセンサ１１の検知範囲内に入ることでセンサ１１が物体を検知すると、自動的に吐水口から水（あるいは湯）を吐出する。
【００１６】
洗浄液吐出装置２０は、洗浄液吐出本体部２１の先端側に、物体を検知するセンサ２３２と、吐出口に接続された吐出口部２３１と、とを有する。洗浄液吐出装置２０は、人の手等の物体がセンサ２３２の検知範囲内に入ることでセンサ２３２が物体を検知すると、自動的に吐出口部２３１から水石けん等の洗浄液を吐出する。なお、この洗浄液吐出装置２０の構成については、後段で詳述する。
【００１７】
ボウル３０は、吐水装置１０から吐水され手洗いに使用された水や、洗浄液吐出装置２０から吐出され手洗いに使用された水石けん等の洗浄液を受けて排出する。ボウル３０の上面にはボウル部本体３１が形成され、ボウル部本体３１の中央の窪みには排水口３２が形成されている。排水口３２は、図示しない排水管と連通している。手洗いに使用され、ボウル３０に吐出された水や洗浄液は排水口３２に導かれ、排水口３２から排水管を通じて下水道等の外部に排出される。
【００１８】
台４０は、ボウル３０の下部に設けられ、図示しない排水管やその他の配管等の設備機器を被覆する。台４０は、その内部が視認されることや、台４０内に配置される設備機器が触れられることを防ぐ。
【００１９】
本実施形態に係る液体吐出装置として、洗浄液吐出装置２０を例に挙げて以下に説明する。
図２は、本実施形態に係る洗浄液吐出装置２０の機能を示すブロック図である。以下、図２を用いて本実施形態に係る洗浄液吐出装置２０の構成について説明する。
【００２０】
図２に示す通り、洗浄液吐出装置２０は、先端側に吐出口部２３１と、人の手等の物体を検知するセンサ２３２と、を備える本体部２１と、洗浄液供給管６０と、空気供給管７０と、制御部８０と、を有する。
吐出口部２３１は、洗浄液吐出装置２０の吐出口部に接続される部材であり、洗浄液と空気が混合されることで形成される泡を先端部から吐出する。センサ２３２は、後述する制御部８０と電気的に接続されており、物体を検知すると検知信号を制御部８０に送信する。
【００２１】
洗浄液供給管６０は、水石けん等の洗浄液が流通する管であり、その下流側端部は本体部２１に接続され、上流側端部は洗浄液を貯留する洗浄液タンク６１に接続されている。なお、図２上、洗浄液タンク６１は単一の本体部２１に接続されているが、パブリック用途であるため実際には複数の本体部２１に接続される。
また、洗浄液供給管６０には洗浄液ポンプ６２が接続されている。洗浄液ポンプ６２は、後述の制御部８０と電気的に接続されており、制御部８０から送信される制御信号に基づいて洗浄液タンク６１に貯留された水石けん等の洗浄液を本体部２１に圧送して供給する。
【００２２】
空気供給管７０は、洗浄液吐出装置本体２０ａに洗浄液の泡を形成するための空気を供給する管であり、その下流側端部は本体部２１に接続され、上流側端部はエアポンプ７１に接続されている。エアポンプ７１はモータ等の駆動部を有し、駆動部を駆動させることで空気を圧縮し、空気供給管７０を通じて空気を下流側に圧送する。エアポンプ７１は後述の制御部８０と電気的に接続されており、制御部８０から送信される制御信号に基づいて空気を洗浄液吐出装置２０本体に供給する。
【００２３】
制御部８０は、マイコン等を搭載した回路基板により構成される。制御部８０は、センサ２３２からの検知信号に基づき洗浄液ポンプ６２及びエアポンプ７１に制御信号を送信し、本体部２１への洗浄液及び空気の供給の有無を切り替えるように制御する。具体的には、制御部８０は、一度センサ２３２から検知信号を受信すると洗浄液ポンプ６２及びエアポンプ７１を所定時間動作させ、動作終了後、一定時間はセンサ２３２から検知信号を受信しても洗浄液ポンプ６２及びエアポンプ７１の動作を行わないような制御を行う。
【００２４】
次に、図３〜図５を用いて本実施形態に係る洗浄液吐出装置２０の形状について説明する。
図３は、本実施形態に係る洗浄液吐出装置２０の外観を示す斜視図である。
図３に示す通り、洗浄液吐出装置２０は、水平方向に延出して形成された円筒状の本体部２１を有し、本体部２１の先端面の上部には手前側に面して形成された正面部２２と、正面部２２の下部から基端側に傾斜して形成された傾斜面部２３と、を有する。
なお、「水平方向」とは、洗浄液吐出装置２０の本体部２１が実質的に略水平方向に向けて延出していることを指し、施工上の誤差等により多少本体部２１の延出方向が水平方向から外れているものも、ここでいう「水平方向」の概念に含まれる。
【００２５】
正面部２２は、本体部２１の先端部における上部に形成される鉛直面に対し略平行な面であり、手洗装置の手前側に面している。そして、正面部２２は表示部２２１を有し、表示部２２１には装置の機能表示である文字、絵、図形、記号等（例えばピクトグラム等の視覚記号）が表示されている。従って、表示部２２１に付された機能表示は、手洗装置の正面に立った使用者から視認しやすい位置にある。
また、本体部２１の先端部に、手洗装置の手前側に面する鉛直面に対し略平行な面として正面部２２が設けられるため、本体部２１の先端部に後述の傾斜面部２３を設けた場合においても、本体部２１の先端部が手前側に延出することはない。従って、本体部２１は直線的でコンパクトな外観を有する。
【００２６】
傾斜面部２３は、正面部２２の下部から基端側に傾斜している斜め下方向を向いた面である。傾斜面部２３には、吐出口部２３１と、センサ２３２と、が配置されている。
吐出口部２３１は、前述したように空気と混合されて泡状となった洗浄液をその先端側から吐出する。
センサ２３２は赤外線センサや光電センサ、電波センサ等人の手等の物体が検知範囲内に入ることで人の手等の物体を検知するセンサであり、本実施形態においては発光部と受光部を有する赤外線式測距センサが用いられる。赤外線式測距センサは、発光部から光を出射し、出射した光による人の手等の被検知物からの反射光を受光部で受光し、所定の検知範囲内に被検知物があるか否かを検知する。
【００２７】
本実施形態において、吐出口部２３１から吐出される洗浄液の、水平方向に対する傾斜角度及びセンサ２３２の発光部から出射される出射光の、水平方向に対する傾斜角度はほぼ等しい。
また、本実施形態において、傾斜面部２３に吐出口部２３１及びセンサ２３２が設けられているため、本体部２１や吐出口部２３１に曲部を有さない構成としながらも洗浄液の吐出角度を水平方向に対して傾斜させることができ、本体部２１は直線的でコンパクトな外観を有する。
【００２８】
図４は、本実施形態に係る洗浄液吐出装置２０の正面図である。
図４に示す通り、本実施形態に係る洗浄液吐出装置２０の正面部２２は半円以上の円弧形状を有し、その中央に装置の機能表示等の所定の表示がなされる表示部２２１を有する。従って、表示部２２１の表示面積として十分な面積が確保され、洗浄液吐出装置２０の使用者は容易に表示部２２１を認識できる。
また、傾斜面部２３に配置される吐出口部２３１やセンサ２３２等の機能部を目立たなく配置でき、本体部２１を意匠性に優れた外観とすることができる。
【００２９】
図５は、本実施形態に係る洗浄液吐出装置２０の右側面図である。図５に示す通り、洗浄液吐出装置２０の傾斜面部２３の傾斜方向と、鉛直方向とは角度Ｒをなす。本実施形態において、洗浄液吐出装置２０の使いやすさの観点から、角度Ｒは３０°〜５０°であることが好ましい。
【００３０】
次に、本実施形態に係る洗浄液吐出装置２０の動作について図２を用いて説明する。
人が本体部２１に手を近づけ、センサ２３２の検知範囲内に人の手が入るとセンサ２３２により検知信号が制御部８０に送信される。検知信号を受信した制御部８０は、制御信号を洗浄液ポンプ６２及びエアポンプ７１に送信する。制御信号を受信した洗浄液ポンプ６２は、洗浄液タンク６１に貯留された洗浄液を、洗浄液供給管６０を通じて本体部２１に圧送して供給する。同様に制御信号を受信したエアポンプ７１は駆動部を駆動させることで空気を圧縮し、空気供給管７０を通じて空気を本体部２１に供給する。本体部２１に供給された洗浄液及び空気は本体部２１内部において混合され、泡となって吐出口に接続された吐出口部２３１の先端から吐出される。そして、所定時間が経過すると吐出が停止される。
【００３１】
以上説明した本実施形態に係る洗浄液吐出装置２０によれば、以下のような効果を奏する。
本実施形態に係る洗浄液吐出装置２０を、水平方向に延びる本体部２１と、本体部２１の先端面における上部に手前側に面して形成され、所定の表示がなされた表示部２２１を有する正面部２２と、前記先端面における正面部２２の下部から基端側に傾斜して形成され、液体を吐出する吐出口部２３１を有する傾斜面部２３を備えて構成した。
これにより、洗浄液吐出装置２０を直線的且つコンパクトな意匠性に優れた外観とすることができ、且つ部材の加工コストも抑えることができる。また、このようなコンパクトな外観としながらも、手前側を向いた正面部２２に機能表示が表示される表示部２２１を設けることができるため、使用者にとって視認性の良好な位置に機能表示を付すことができる。
【００３２】
また、本実施形態に係る洗浄液吐出装置２０を、円筒状の本体部２１を有するものとして構成した。これにより、本体部２１が曲面を有する円筒状である場合においても、該曲面部ではなく平面部である正面部２２に表示部２２１を設けることで、使用者にとって視認性の良好な位置に機能表示を付すことができる。
【００３３】
また、本実施形態に係る洗浄液吐出装置２０において、正面部２２を半円以上の円弧形状を有するものとして構成した。これにより、表示部２２１が設けられる正面部２２の面積をより広く確保することができるため、正面部２２における所定の表示がなされた表示部２２１の視認性をより高めることができる。また、傾斜面部２３に配置される機能部を目立たなく配置でき、洗浄液吐出装置２０の意匠性を向上させることができる。
【００３４】
また、本実施形態に係る洗浄液吐出装置２０において、傾斜面部２３の傾斜方向と、鉛直方向とのなす角度を３０°〜５０°とした。これにより、洗浄液吐出装置２０の吐出角度を使用しやすい角度とすることができる。また、傾斜面部２３をこのような角度とした場合においても、本体部２１の先端面上部に形成される正面部２２が手前側に面して形成されるため、本体部２１の先端が手前側に延出することがなく、本体部２１を直線的でコンパクトな構成とすることができる。
【００３５】
本発明は上記実施形態に限定されるものではなく、本発明の目的を達成できる範囲での変形、改良等は本発明に含まれる。
例えば、上記実施形態においては液体吐出装置を洗浄液吐出装置２０として説明したが、これに限定されず、本発明が適用可能な液体吐出装置としては吐水装置であってもよい。
【００３６】
また、上記実施形態においては洗浄液吐出装置２０はセンサ２３２を備え、物体を検知して自動で洗浄液を吐出する構成となっているが、これに限定されず、洗浄液吐出装置２０は手動操作により洗浄液の吐出動作を行うものであってもよい。
【００３７】
また、上記実施形態においては洗浄液吐出装置２０を洗浄液の泡を形成するための空気を供給する空気供給管７０を備えるものとして構成したが、これに限定されず、洗浄液吐出装置２０は空気供給管７０を備えずに構成してもよい。
【００３８】
また、上記実施形態においては正面部２２を鉛直面に対し略平行な面として構成したが、これに限定されず、正面部２２は手洗装置の手前側に面して形成されていればよい。
【００３９】
また、上記実施形態においては液体吐出装置を円筒状の本体部を有する洗浄液吐出装置２０として説明したが、これに限定されず、液体吐出装置の本体部は、例えば角筒状であってもよい。なお、本体部を角筒状に構成した場合、正面部の上下幅を本体部の上下幅に対し半分以上とすることが好ましい。
【符号の説明】
【００４０】
２０    洗浄液吐出装置
２１    本体部
２２    正面部
２２１  表示部
２３    傾斜面部
２３１  吐出口部
【図１】
2017131421.tif 000003
【図２】
2017131421.tif 000004
【図３】
2017131421.tif 000005
【図４】
2017131421.tif 000006
【図５】
2017131421.tif 000007